(57)【要約】【課題】装置が静電破壊しにくい、かつ静電破壊防止素子自身が静電破壊しにくい、液晶表示装置を提供する。【解決手段】第１絶縁基板２と、第２絶縁基板３と、両基板２，３間に設けられた液晶４と、第１絶縁基板２上に配置された複数の行状の走査電極８および複数の第１共通部５０および複数の第２共通部５２と、走査電極８等の上に設けられた第１絶縁層２ａと、第１絶縁層上２ａに列状に配置された複数の信号電極９および複数の中間電極５３と、各信号電極９および各第１共通部５０の１端および各中間電極５３の第１部分に接続された各第１ＴＦＴ５４とを備え、各第１共通部５０の他端は各信号電極９に接続され、各中間電極５３の第２部分は各第２共通部５２に接続され、各信号電極９および各中間電極５３は、各第１ＴＦＴ５４との接続部を除いた部分において、各第１共通部５０および各第２共通部５２に対し、平面から見て重ならない様に、ずれて配置されている。【選択図】図２
2007206133.tif 000002
【特許請求の範囲】
【請求項１】
第１絶縁基板と、第２絶縁基板と、両基板間に設けられた液晶と、前記第１絶縁基板上に配置された複数の行状の走査電極および複数の第１共通部および複数の第２共通部と、前記走査電極等の上に設けられた第１絶縁層と、前記第１絶縁層上に列状に配置された複数の信号電極および複数の中間電極と、各信号電極および各第１共通部の１端および各中間電極の第１部分に接続された各第１ＴＦＴとを備え、各第１共通部の他端は各信号電極に接続され、各中間電極の第２部分は各第２共通部に接続され、各信号電極および各中間電極は、各第１ＴＦＴとの接続部を除いた部分において、各第１共通部および各第２共通部に対し、平面から見て重ならない様に、ずれて配置された事を特徴とする液晶表示装置。
【請求項２】
各第２共通部に接続された共通線が設けられ、各第１ＴＦＴのソースは各信号電極に接続され、各第１ＴＦＴのゲートは各第１共通部の１端に接続され、各第１ＴＦＴのドレインは各中間電極の１端に接続され、前記共通線と離れた前記信号電極側に静電気が印加された場合、前記静電気は前記信号電極および前記第１共通部を介して前記ゲートに印加され
前記第１ＴＦＴはオンされ、前記静電気による電流は、前記信号電極と、前記第１ＴＦＴと、前記中間電極と、前記第２共通部とを介して、前記共通線へ流れる様に構成された事を特徴とする請求項１の液晶表示装置。
【請求項３】
各第２共通部の１端に接続された共通線が設けられ、複数の第２ＴＦＴが設けられ、各第２ＴＦＴのソースは各中間電極の第３部分に接続され、各第２ＴＦＴのゲートは各第２共通部の他端に接続され、各第２ＴＦＴのドレインは各信号電極に接続され、前記共通線に静電気が印加された場合、前記静電気は前記第２共通部を介して前記ゲートに印加され、前記第２ＴＦＴはオンされ、前記第１ＴＦＴはオフされ、前記静電気による電流は、前記共通線と、前記第２共通部と、前記中間電極と、前記第２ＴＦＴとを介して、前記信号電極へ流れる様に構成された事を特徴とする請求項１の液晶表示装置。
【請求項４】
前記信号電極は、直線部と、前記直線部に直交する同一方向にて突出し、かつ各々が前記直線部に接続され、各々が離れて位置する第１部分および第２部分および第３部分とを有し、前記第１部分は前記第１共通部の他端に接続され、前記第２部分は前記第１ＴＦＴに接続され、前記第３部分は前記第２ＴＦＴに接続された事を特徴とする請求項３の液晶表示装置。
【請求項５】
前記中間電極は、直線部と、前記直線部に直交する同一方向にて突出し、かつ各々が前記直線部に接続され、各々が離れて位置する第１部分および第２部分および第３部分とを有し、前記第１部分は前記第１ＴＦＴに接続され、前記第２部分は前記第２共通部に接続され、前記第３部分は前記第２ＴＦＴに接続された事を特徴とする請求項３の液晶表示装置。
【発明の詳細な説明】
【技術分野】
【０００１】
本発明は液晶表示装置に関する。
【背景技術】
【０００２】
従来、この種の装置は例えば特許文献１に示されている。特許文献１において、第１のガラス板上に各走査電極が形成され、その走査電極上に、第１絶縁層が形成されている。第１絶縁層上に各信号電極が形成され、その上に、第２絶縁層が形成されている。また、駆動部を配置するために、第１のガラス板は、その上方に位置する第２のガラス板より突出した突出領域が設けられている。
【０００３】
しかし、上記装置では、静電破壊防止策が取られていないので、静電破壊し易い、第１の欠点がある。この欠点を解消するため、本発明者は、図６に示した静電破壊防止素子１００を設けた液晶表示装置を製造した。
【０００４】
図６において、第１絶縁基板上に走査電極（図示せず）と、第１共通部１０１と、第２共通部１０２（共に、斜線を施した部分）と、共通線０１２ａが設けられ、その上に第１絶縁層（図示せず）が設けられている。第１絶縁層の上に、信号電極１０３と、信号電極片１０４と、第１ＴＦＴ１０５と、第２ＴＦＴ１０６が設けられている。
【０００５】
第１接続部（ＩＴＯ等からなる）１０７において、信号電極１０３と第１共通部１０１とが接続されている。第２接続部（ＩＴＯ等からなる）１０８において、信号電極片１０４と第２共通部１０２とが接続されている。実線は、完成品状態において、信号電極１０１に静電気が印加された場合の、電流の流れを示す。
【特許文献１】特開２００４−９４２７３号公報
【発明の開示】
【発明が解決しようとする課題】
【０００６】
しかし、上記装置では、製造工程中に静電気により、静電破壊防止素子自身が破壊される、第２の欠点がある。本発明者がその原因を究明したところ、第１接続部１０７が形成される前の工程において、静電気（例えば数千ボルト）が信号電極１０３に印加される。
【０００７】
ところが、この時、第１接続部１０７は完成されていないので、第１絶縁層を介して、信号電極１０３の背面側に位置する第１共通部１０１の電圧は、約ゼロボルトである。従って、Ｅ部はコンデンサとなり、片側に数千ボルトが印加される。それ故、Ｅ部において、信号電極１０３と、第１絶縁層と、第１共通部１０１が破壊されるためである事が分かった。
【０００８】
そこで、本発明は、この様な従来の欠点を考慮し、装置が静電破壊しにくい、かつ静電破壊防止素子自身が静電破壊しにくい、液晶表示装置を提供する。
【課題を解決するための手段】
【０００９】
上記課題を解決するために、請求項１の本発明では、第１絶縁基板と、第２絶縁基板と、両基板間に設けられた液晶と、前記第１絶縁基板上に配置された複数の行状の走査電極および複数の第１共通部および複数の第２共通部と、前記走査電極等の上に設けられた第１絶縁層と、前記第１絶縁層上に列状に配置された複数の信号電極および複数の中間電極と、各信号電極および各第１共通部の１端および各中間電極の第１部分に接続された各第１ＴＦＴとを備え、各第１共通部の他端は各信号電極に接続され、各中間電極の第２部分は各第２共通部に接続され、各信号電極および各中間電極は、各第１ＴＦＴとの接続部を除いた部分において、各第１共通部および各第２共通部に対し、平面から見て重ならない様に、ずれて配置された。
【００１０】
請求項２の本発明では、各第２共通部に接続された共通線が設けられ、各第１ＴＦＴのソースは各信号電極に接続され、各第１ＴＦＴのゲートは各第１共通部の１端に接続され各第１ＴＦＴのドレインは各中間電極の１端に接続され、前記共通線と離れた前記信号電極側に静電気が印加された場合、前記静電気は前記信号電極および前記第１共通部を介して前記ゲートに印加され、前記第１ＴＦＴはオンされ、前記静電気による電流は、前記信号電極と、前記第１ＴＦＴと、前記中間電極と、前記第２共通部とを介して、前記共通線へ流れる様に構成された。
【００１１】
請求項３の本発明では、各第２共通部の１端に接続された共通線が設けられ、複数の第２ＴＦＴが設けられ、各第２ＴＦＴのソースは各中間電極の第３部分に接続され、各第２ＴＦＴのゲートは各第２共通部の他端に接続され、各第２ＴＦＴのドレインは各信号電極に接続され、前記共通線に静電気が印加された場合、前記静電気は前記第２共通部を介して前記ゲートに印加され、前記第２ＴＦＴはオンされ、前記第１ＴＦＴはオフされ、前記静電気による電流は、前記共通線と、前記第２共通部と、前記中間電極と、前記第２ＴＦＴとを介して、前記信号電極へ流れる様に構成された。
【００１２】
請求項４の本発明では、前記信号電極は、直線部と、前記直線部に直交する同一方向にて突出し、かつ各々が前記直線部に接続され、各々が離れて位置する第１部分および第２部分および第３部分とを有し、前記第１部分は前記第１共通部の他端に接続され、前記第２部分は前記第１ＴＦＴに接続され、前記第３部分は前記第２ＴＦＴに接続された。
【００１３】
請求項５の本発明では、前記中間電極は、直線部と、前記直線部に直交する同一方向にて突出し、かつ各々が前記直線部に接続され、各々が離れて位置する第１部分および第２部分および第３部分とを有し、前記第１部分は前記第１ＴＦＴに接続され、前記第２部分は前記第２共通部に接続され、前記第３部分は前記第２ＴＦＴに接続された。
【発明の効果】
【００１４】
請求項１では、各信号電極および各中間電極は、各第１ＴＦＴとの接続部を除いた部分において、各第１共通部および各第２共通部に対し、平面から見て重ならない様に、ずれて配置された。その結果、各第１共通部が各信号電極に接続される前の工程において、各信号電極に静電気が印加され、第１共通部がゼロボルトであっても、両者は重なり部分がないので、従来の様に、両者および第１絶縁層は静電破壊されない。また、各第２共通部が各中間電極に接続される前の工程において、各第２共通部に静電気が印加され、各中間電極がゼロボルトであっても、両者は重なり部分がないので、従来の様に、両者および第１絶縁層は静電破壊されない。
【００１５】
請求項２では、完成品状態において、信号電極側に静電気が印加された場合、静電気は信号電極および第１共通部を介してゲートに印加され、第１ＴＦＴはオンされ、静電気による電流は、信号電極と、第１ＴＦＴと、中間電極と、第２共通部とを介して、共通線へ流れる。その結果、信号電極に急激に大きな電圧が印加されても、第１ＴＦＴにより、共通線に流れる電流は小さい値に抑えられる。
【００１６】
請求項３では、完成品状態において、共通線に静電気が印加された場合、静電気は第２共通部を介してゲートに印加され、第２ＴＦＴはオンされ、第１ＴＦＴはオフされ、静電気による電流は、共通線と、第２共通部と、中間電極と、第２ＴＦＴとを介して、信号電極へ流れる。その結果、共通線に急激に大きな電圧が印加されても、第２ＴＦＴにより、信号電極に流れる電流は小さい値に抑えられる。
【００１７】
請求項４では、信号電極は、直線部と、直線部に直交する同一方向にて突出し、かつ各々が直線部に接続され、各々が離れて位置する第１部分および第２部分および第３部分とを有している。上記構成により、信号電極は、第１共通部と、第１ＴＦＴと、第２ＴＦＴに対し、並列して配置することができる。その結果、平面から見て、信号電極と第１共通部との重なりを回避した形状を、容易に製造できる。
【００１８】
請求項５では、中間電極は、直線部と、直線部に直交する同一方向にて突出し、かつ各々が直線部に接続され、各々が離れて位置する第１部分および第２部分および第３部分とを有している。上記構成により、中間電極は、第２共通部と、第１ＴＦＴと、第２ＴＦＴに対し、並列して配置することができる。その結果、平面から見て、中間電極と第２共通部との重なりを回避した形状を、容易に製造できる。
【発明を実施するための最良の形態】
【００１９】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例】
【００２０】
以下、図１ないし図５に従い、本実施例に係る液晶表示装置１を説明する。図１は液晶表示装置１の電気回路図である。図２は図１のＣ部に相当する部分の平面図である。図３は図２のＡ１−Ａ２断面図である。図４は図２のＢ１−Ｂ２断面図である。図５は図２のＤ１−Ｄ２断面図である。
【００２１】
図３において、液晶表示装置１は、第１絶縁基板２と、第２絶縁基板３と、両基板２，３間に設けられた液晶４等を有している。第１絶縁基板２および第２絶縁基板３は例えばガラス板等からなる。
【００２２】
第１絶縁基板２上において、行状（図１において、例えば、縦方向であり、場合によっては、横方向でも良い）に、複数の走査電極ｇ１〜ｇ１１０，ｇ２２０〜ｇ１１１と、複数の第１共通電極Ｃ１〜Ｃ２２０が形成されている。走査電極ｇ１〜ｇ１１０，ｇ２２０〜ｇ１１１上と、複数の第１共通電極Ｃ１〜Ｃ２２０上と、第１絶縁基板２上に、第１絶縁層２ａ（例えば、ＳｉＮｘからなる）が形成されている（図３参照）。
【００２３】
第１絶縁層２ａ上に、列状に（即ち、上記行と直角方向に）、複数の信号電極ｓ１〜ｓ５２８と、第２共通電極１３、１７とが形成されている（図１、図３参照）。
【００２４】
図３に示す様に、第２絶縁基板３の背面には、ブラックマトリクス５が形成されている。
カラーフィルタ層６は、ブラックマトリクス５に隣接して、形成されている。
【００２５】
液晶４はシール剤４ａにより、封止されている。第１絶縁層２ａ上と、信号電極ｓ１〜ｓ５２８上と、第２共通電極１３、１７の上に、第２絶縁層７が形成されている（図３参照）。
【００２６】
図１において、第１絶縁基板２上およびその上方において、行列状に、複数の走査電極８と、複数の信号電極９が形成されている。
【００２７】
信号電極９は、図１の上から順に、ｓ１，ｓ２，…ｓ５２７，ｓ５２８で示されたものである。走査電極８は、図１の右から順に、ｇ１，…ｇ１１０，ｇ２２０，…ｇ１１１で示したものである。
【００２８】
複数の画素電極１０は、各走査電極８と、各信号電極９の交点近傍に配置されている。各スイッチング素子１１は、各走査電極８と、各信号電極９と、各画素電極１０に接続されている。即ち、各画素電極１０は、各スイッチング素子１１を介して、両電極８，９に接続されている。
【００２９】
各スイッチング素子１１は例えば、ＴＦＴ（薄膜トランジスタ）等からなる。各スイッチング素子１１のソースは各信号電極９に接続されている。各スイッチング素子１１のゲートは各走査電極８に接続されている。各スイッチング素子１１のドレインは、各画素電極１０に接続されている。
【００３０】
複数の第１共通電極Ｃ１，…Ｃ１１０，Ｃ２２０，…Ｃ１１１は、第１絶縁基板２上に配置されている。各第１共通電極Ｃ１，…Ｃ１１０，Ｃ２２０，…Ｃ１１１は、走査電極
ｇ１，…ｇ１１０，ｇ２２０，…ｇ１１１に隣接して配置されている。
【００３１】
各補助コンデンサ１２は、各画素電極１０と、各第１共通電極Ｃ１〜Ｃ２２０との間に接続されている。
【００３２】
即ち、第１絶縁基板２上に第１共通電極Ｃ１〜Ｃ２２０等が形成されている。第１共通電極Ｃ１〜Ｃ２２０上に、第１絶縁層２ａが形成されている。
【００３３】
画素電極１０は、第１絶縁層２ａ上に形成されている。これらの各第１共通電極Ｃ１〜Ｃ２２０等と、第１絶縁層２ａと、各画素電極１０とにより、各補助コンデンサ１２が形成されている。
【００３４】
第２共通電極１３は、第１絶縁基板２上の、第１絶縁層２ａ上に形成され、各第１共通電極Ｃ１〜Ｃ２２０に接続されている。
【００３５】
第２共通電極１３は、入力端子１８と共通延長線１３ａ（後述）を介して、共通電圧（例えば、直流５ボルト）が供給される。第２共通電極１３と共通延長線１３ａとにより、閉回路とされている。
【００３６】
第２共通電極１３は例えばアルミニュウム等からなる。第２共通電極１３は、第１絶縁基板２上の、第１絶縁層２ａの上に、例えば、厚さが２０００オングストローム、幅が１００μｍないし５００μｍにて、比較的に広く形成されている。
【００３７】
第２共通電極１３は、幅が１００μｍ以上になると、第１共通電極Ｃ１〜Ｃ２２０における電圧降下が減ることにより、実用上、差し支えない程度に、クロストークやフリッカの発生を防止できる。
【００３８】
また、第２共通電極１３は、幅が５００μｍを越えても、幅が５００μｍの時と、上記電圧降下値は変わらない。従って、第２共通電極１３は、幅が１００μｍないし５００μｍが望ましい。
【００３９】
第２共通電極１７は第１絶縁基板２上の、第１絶縁層２ａの上に、第２共通電極１３と離れて配置されている。例えば、第２共通電極１３は、第１絶縁基板２の１辺近傍に配置されている。第２共通電極１７は、上記１辺に対向する位置にある第１絶縁基板２の他辺近傍に配置されている。
【００４０】
第２共通電極１７は、各第１共通電極Ｃ１〜Ｃ２２０に接続されている。第２共通電極１７は、入力端子１４，１５，１６と、共通延長線１７ａ（後述）を介して、共通電圧（例えば、直流５ボルト）が供給されている。第２共通電極１７と共通延長線１７ａとにより、閉回路とされている。
【００４１】
第２共通電極１７は、例えばアルミニュウム等からなる。第２共通電極１７は、第１絶縁層２ａに、例えば、厚さが２０００オングストローム、幅が１００μｍないし５００μｍにて形成されている。
【００４２】
第２共通電極１７の幅は、１００μｍないし５００μｍが望ましい理由は、第２共通電極１３と同じである。
【００４３】
接続線１９は、共通延長線１３ａと１７ａとを電気的接続させるものである。接続線１９は、ＩＣ２０内の絶縁基板（図示せず）上に、厚さが２０００オングストローム、幅が１００μｍないし５００μｍのアルミニュウムにて形成されている。
【００４４】
第１共通電極Ｃ１〜Ｃ２２０及び第２共通電極１３及び第２共通電極１７は、第２絶縁基板３の背面に設けられた共通電極（図示せず）に電気的接続されている。
【００４５】
共通線２１は、走査電極ｇ１１１の左側に形成されている。行電極２２は共通線２１の左側に形成されている。
【００４６】
第１共通電極Ｃ１の右側には順に、行電極２３、共通線２４，２５，２６，２７が形成されている。共通線２４〜２７は、第２共通電極１３と、第２共通電極１７との間に接続されている。
【００４７】
信号電極ｓ１の上側には順に、列電極２８，２９，３０が形成されている。信号電極ｓ５２８の下側には順に、列電極３１，３２，３３が形成されている。
【００４８】
スイッチング素子１１は、各電極２２、ｇ１１１，…ｇ１，２３と、各列電極２９，２８と、各画素電極１０とに接続されている。
【００４９】
各補助コンデンサ１２は、各画素電極１０と、共通線２１と、第１共通電極Ｃ１１１，…Ｃ１と、共通線２４との間に形成されている。
【００５０】
同様に、スイッチング素子１１は、各電極２２、ｇ１１１，…ｇ１，２３と、列電極３１と、各画素電極１０とに接続されている。各補助コンデンサ１２は、各画素電極１０と、共通線２１と、第１共通電極Ｃ１１１，…Ｃ１と、共通線２４との間に形成されている。
【００５１】
この様に、走査電極ｇ１〜ｇ２２０と、信号電極ｓ１〜ｓ２２０と、画素電極１０に接続された各ＴＦＴを有する画素３４は、有効表示領域である。
【００５２】
また、上記画素３４を外れた、各ＴＦＴを有する画素３５は、非表示領域である。この非表示領域は、表示領域が、入力された画像データを正確に表示するために必要である。
【００５３】
静電破壊防止部３６は、行電極２３および走査電極ｇ１〜ｇ１１０と、列電極３０との間に接続されている。静電破壊防止部３６は、走査電極ｇ１〜ｇ１１０から列電極３０を介して、第２共通電極１３へ、静電気で生じた電流を流すものである。また、上記流れとは、逆の流れ方もある。
【００５４】
静電破壊防止部３７は、行電極２２および走査電極ｇ１１１〜ｇ２２０と、列電極３３との間に接続されている。静電破壊防止部３７は、走査電極ｇ１１１〜ｇ２２０から列電極３３を介して、第２共通電極１７へ、静電気で生じた電流を流すものである。また、上記流れとは、逆の流れ方もある。
【００５５】
静電破壊防止素子３８は、列電極２９，２８および信号電極ｓ１〜ｓ５２８および列電極３１，３２と、共通線２６との間に接続されている。静電破壊防止素子３８は、信号電極ｓ１〜ｓ５２８から共通線２６を介して、第２共通電極１３および第２共通電極１７へ、静電気で生じた電流を流すものである。また、上記流れとは、逆の流れ方もある。
【００５６】
次に、図１ないし図５に従い、本液晶表示装置１の構成をまとめる。１端が各走査電極ｇ１〜ｇ２２０に接続され、他端が突出領域４０上に位置する各走査延長線ｇ１ａ〜ｇ２２０ａが設けられている。
【００５７】
１端が各信号電極ｓ１〜ｓ５２８に接続され、他端が突出領域４０上に位置する各信号延長線ｓ１ａ〜ｓ５２８ａが設けられている。
【００５８】
信号電極ｓ１〜ｓ５２８は例えば、下から順に、モリブデン層と、アルミニュウム層と、別のモリブデン層の３つの層からなる。走査電極ｇ１〜ｇ２２０は例えば、下から順に、アルミニュウム層と、モリブデン層の２つの層からなる。信号電極ｓ１〜ｓ５２８と、走査電極ｇ１〜ｇ２２０は共に、厚さが約２０００オングストロ−ムである。
【００５９】
第１絶縁層２ａと、第２絶縁層７は同一の材質からなる。第１絶縁層２ａおよび第２絶縁層７は、例えば共にＳｉＮｘからなる。第１絶縁層２ａは、第２絶縁層７よりも厚く形成されている。第１絶縁層２ａの厚さは、例えば４０００オングストロームである。第２絶縁層７の厚さは、例えば２５００オングストロームである。
【００６０】
各走査電極８と各信号電極９の交点近傍に配置され、各スイッチング素子１１を介して両電極８，９に接続された複数の画素電極１０が設けられている。
【００６１】
第１絶縁基板２上に配置された複数の第１共通電極Ｃ１〜Ｃ２２０が設けられている。各画素電極１０と、各第１共通電極Ｃ１〜Ｃ２２０の間に接続された各補助コンデンサ１２が設けられている。各第１共通電極Ｃ１〜Ｃ２２０に接続され、第１絶縁層２ａ上に配置された第２共通電極１３，１７が設けられている。
【００６２】
１端が第２共通電極１３，１７に接続され、他端が突出領域４０上の第１絶縁層２ａの上に配置された共通延長線１３ａ，１７ａとが設けられている。
【００６３】
共通延長線１３ａ，１７ａは共通電圧（例えば、直流５ボルト）が印加される。第２共通電極１３および共通延長線１３ａは閉回路とされている。第２共通電極１７および共通延長線１７ａは閉回路とされている。
【００６４】
なお、各走査延長線ｇ１ａ〜ｇ２２０ａと、各信号延長線ｓ１ａ〜ｓ５２８ａの先端は各々駆動部（ＩＣ）２０に設けられた各出力端子Ｇ１〜Ｇ２２０、Ｓ１〜Ｓ５２８に接続されている。
【００６５】
次に、図１ないし図５に従い、この液晶表示装置１の特徴的構成を説明する。第１の特徴として、第１絶縁基板２と、第２絶縁基板（図示せず）と、両基板間に設けられた液晶４が設けられている。
【００６６】
第１絶縁基板２上に配置された複数の行状の走査電極８と、複数の第１共通部５１（図２、図３、図４を参照）と、複数の第２共通部５２（図２、図５を参照）が設けられている。各第１共通部５１は例えば、下から順に、アルミニュウム層と、モリブデン層の２つの層からなる。各第１共通部５１は例えば、厚さが約２０００オングストロ−ムである。各第２共通部５２は例えば、下から順に、アルミニュウム層と、モリブデン層の２つの層からなる。各第２共通部５２は例えば、厚さが約２０００オングストロ−ムである。
【００６７】
走査電極８等の上に、第１絶縁層２ａが設けられている。第１絶縁層２ａ上に、列状に配置された複数の信号電極９が設けられている。第１絶縁層２ａ上に、複数の中間電極５３（図２、図４、図５を参照）。中間電極５３は例えば、下から順に、モリブデン層と、アルミニュウム層と、別のモリブデン層の３つの層からなる。中間電極５３は例えば、厚さが約２０００オングストロ−ムである。
【００６８】
各信号電極９と、各第１共通部５０の１端と、各中間電極５３の第１部分５３ａ（図２参照）に接続された各第１ＴＦＴ５４（図２、図４を参照）が設けられている。
【００６９】
各第１共通部５０の他端は各信号電極９に接続されている（図２、図３を参照）。即ち、各第１接続部５５の１側は、第１絶縁層２ａに形成された孔を介して、各信号電極９に接続されている。各第１接続部５５の他側は、第２絶縁層７および第１絶縁層２ａに各々形成された孔を介して、各第１共通部５０の他端に接続されている（図３参照）。各第１接続部５５は例えば、ＩＴＯ等からなる。
【００７０】
各中間電極５３の第２部分５３ｂは各第２共通部５２に接続されている（図２、図５参照）。即ち、各第２接続部５６の１側は、第２絶縁層７に形成された孔を介して、各中間電極５３の第２部分５３ｂに接続されている。各第２接続部５６の他側は、第２絶縁層７および第１絶縁層２ａに各々形成された孔を介して、各第２共通部５２に接続されている（図５参照）。各第２接続部５６は例えば、ＩＴＯ等からなる。
【００７１】
各信号電極９および各中間電極５３は、各第１ＴＦＴ５４との接続部を除いた部分において、各第１共通部５０および各第２共通部５２に対し、平面から見て重ならない様に、ずれて配置されている（図２、図３、図４、図５参照）。
【００７２】
次に、第２の特徴的構成を述べる。各第２共通部５２に接続された共通線２６が設けられている（図２参照）。
【００７３】
各第１ＴＦＴ５４のソース５４ａは各信号電極９に接続されている。各第１ＴＦＴ５４のゲート５４ｂは各第１共通部５０の１端に接続されている。各第１ＴＦＴ５４のドレイン５４ｃは各中間電極５３の１端に接続されている（図４参照）。
【００７４】
共通線２６と離れた信号電極９側に静電気が印加された場合、静電気は信号電極９および第１共通部５０を介して、第１ＴＦＴ５４のゲート５４ｂに印加され、第１ＴＦＴ５４はオンされる。
【００７５】
その結果、静電気による電流は、信号電極９と、第１ＴＦＴ５４と、中間電極５３と、第２共通部５２とを介して、共通線２６へ流れる様に構成された（図２の実線を参照）。
【００７６】
そして、第３の特徴的構成を述べる。各第２共通部５２の１端に接続された共通線２６が設けられている。複数の第２ＴＦＴ５７が設けられている。各第２ＴＦＴ５７のソースは各中間電極５３の第３部分５３ｃに接続されている。
【００７７】
各第２ＴＦＴ５７のゲートは各第２共通部５２の他端に接続されている。各第２ＴＦＴ５７のドレインは各信号電極９に接続されている（図２参照）。
【００７８】
共通線２６に静電気が印加された場合、静電気は第２共通部５２を介して、第２ＴＦＴのゲートに印加され、第２ＴＦＴ５７はオンされている。この時、第１ＴＦＴ５４はオフされている。
【００７９】
静電気による電流は、共通線２６と、第２共通部５２と、中間電極５３と、第２ＴＦＴ５７とを介して、信号電極９へ流れる様に構成されている（図２の破線を参照）。
【００８０】
次に、第４の特徴的構成を述べる。信号電極９は、直線部９ｄと、直線部９ｄに直交する同一方向にて突出し、かつ各々が直線部９ｄに接続され、各々が離れて位置する第１部分９ａと、第２部分９ｂと、第３部分９ｂとを有する様に、形成されている。
【００８１】
第１部分９ａは第１共通部５０の他端に接続されている。第２部分９ｂは第１ＴＦＴ５４に接続されている。第３部分９ｃは第２ＴＦＴ５７に接続されている。
【００８２】
そして、第５の特徴的構成を述べる。中間電極５３は、直線部５３ｄと、直線部５３ｄに直交する同一方向にて突出し、かつ各々が直線部５３ｄに接続され、各々が離れて位置する第１部分５３ａと、第２部分５３ｂと、第３部分５３ｄとを有する様に、形成されている。
【００８３】
第１部分５３ａは第１ＴＦＴ５４に接続されている。第２部分５３ｂは第２共通部５２に接続されている。第３部分５３ｃは第２ＴＦＴ５７に接続されている。
【００８４】
なお、図４において、ソース５４ａの下には、ｎ＋ａ−Ｓｉ層５８が形成されている。ドレイン５４ｃの下には、ｎ＋ａ−Ｓｉ層５９が形成されている。ａ−Ｓｉ層６０は、ｎ＋ａ−Ｓｉ層５８と第１絶縁層２ａの間と、第２絶縁層７と第１絶縁層２ａの間と、ａ−Ｓｉ層５９と第１絶縁層２ａの間に、設けられている。
【００８５】
以上の部品により、液晶表示装置１は構成されている。なお、本発明は、突出領域４０が設けられないタイプの液晶表示装置にも、適用され得る。
【図面の簡単な説明】
【００８６】
【図１】本発明の実施例に係る液晶表示装置１の電気回路図である。
【図２】図１のＣ部に相当する部分の平面図である。
【図３】図２のＡ１−Ａ２断面図である。
【図４】図２のＢ１−Ｂ２断面図である。
【図５】図２のＤ１−Ｄ２断面図である。
【図６】従来の液晶表示装置における、要部の平面図である。
【符号の説明】
【００８７】
２  第１絶縁基板
２ａ  第１絶縁層
３  第２絶縁基板
４  液晶
８  走査電極
９  信号電極
５０  第１共通部
５２  第２共通部
５３  中間電極
５４  第１ＴＦＴ
５７  第２ＴＦＴ
【図１】
2007206133.tif 000003
【図２】
2007206133.tif 000004
【図３】
2007206133.tif 000005
【図４】
2007206133.tif 000006
【図５】
2007206133.tif 000007
【図６】
2007206133.tif 000008